(57)【要約】      （修正有）【課題】分解可能なワンピース構造のケースを採用した、小型化された電子機器を提供する。【解決手段】底壁３３と側壁３５とが一体に設けられるケース本体３１と、側壁３５の内側に設けられる透光部材５５と、側壁３５の外側に設けられるベゼル５７と、を備え、側壁３５は、側壁３５の上部で透光部材５５を平面方向で受ける第１側壁部３５１と、第１側壁部３５１より底壁３３側で透光部材５５を断面方向で受ける第２側壁部３５２と、を有し、ベゼル５７は、透光部材５５が設置された第１側壁部３５１及び第２側壁部３５２の外周を内側に押圧して設置されている。【選択図】図４
2019124477.tif 000002
【特許請求の範囲】
【請求項１】
底壁と側壁とが一体に設けられるケースと、
前記側壁の内側に設けられる透光部材と、
前記側壁の外側に設けられるベゼルと、を備え、
前記側壁は、
前記側壁の上部で前記透光部材を平面方向で受ける第１側壁部と、
前記第１側壁部より前記底壁側で前記透光部材を断面方向で受ける第２側壁部と、を有し、
前記ベゼルは、前記透光部材が設置された前記第１側壁部及び前記第２側壁部の外周を内側に押圧して設置されていることを特徴とする電子機器。
【請求項２】
前記ベゼルの前記底壁側の端面は、前記第２側壁部の前記透光部材を受ける受面より前記底壁側に位置していることを特徴とする、請求項１に記載の電子機器。
【請求項３】
前記第１側壁部の内面と前記透光部材の外周端面との間には弾性部材が設置されていることを特徴とする、請求項１または２に記載の電子機器。
【請求項４】
前記第２側壁部の前記透光部材を受ける受面と前記透光部材との間には介在部材が設置されていることを特徴とする、請求項１から３のいずれか一項に記載の電子機器。
【請求項５】
前記側壁は、前記第２側壁部より前記底壁側に第３側壁部を有し、
前記ベゼルの前記底壁側の端面より前記底壁側で、前記第３側壁部の外側に設置される外装カバーを備えていることを特徴とする、請求項１から４のいずれか一項に記載の電子機器。
【請求項６】
前記側壁の外側は、前記第２側壁部と前記第３側壁部との間に溝が設けられていることを特徴とする、請求項５に記載の電子機器。
【請求項７】
前記第２側壁部と前記第３側壁部とは異なる樹脂材料で構成されていることを特徴とする、請求項５または６に記載の電子機器。
【発明の詳細な説明】
【技術分野】
【０００１】
本発明は、ワンピース構造のケースを備えた電子機器に関する。
【背景技術】
【０００２】
従来、例えば、特許文献１に記載のように、底壁と側壁（胴）とが一体に形成されたケースであるいわゆるワンピース構造のケースを採用した電子機器が知られている。特許文献１に記載の電子機器は、胴に設けられたねじの逃げ穴にねじを挿入し、ガラスを固定するガラス縁と胴とを固定する構成を採用している。これは、ねじを取り外すことにより、胴からガラスを取り外すことが可能となり、電子機器を分解することが可能となる構成である。
【先行技術文献】
【特許文献】
【０００３】
【特許文献１】特開２００２−１８９０８４号公報
【発明の概要】
【発明が解決しようとする課題】
【０００４】
しかしながら、特許文献１に記載の電子機器は、ガラス縁と胴とを、胴に設けたねじの逃げ穴を利用し、ねじで固定する構成であるため、ねじの逃げ穴の分、胴が肉厚となる。そのため、電子機器は、小型化を実現することが困難な構成であった。
【課題を解決するための手段】
【０００５】
本発明は、上記の課題を解決することにより、分解可能なワンピース構造のケースを採用した、小型化された電子機器を提供することを目的とする。
【０００６】
［適用例１］本適用例に係る電子機器は、底壁と側壁とが一体に設けられるケースと、前記側壁の内側に設置される透光部材と、前記側壁の外側に設置されるベゼルと、を備え、前記側壁は、前記側壁の上部で前記透光部材を平面方向で受ける第１側壁部を有し、前記ベゼルは、前記透光部材が設置された前記第１側壁部の外面を内側に押圧して設置されていることを特徴とする。
【０００７】
本適用例によれば、ねじを使用しないことで小型化されたワンピース構造のケースを実現できる。そして、電子機器を分解する場合、ベゼルを取り外すことにより、ベゼルによる第１側壁部への押圧が解除され、第１側壁部が、透光部材によって外側に押圧され、第１側壁部が外側に撓む。または、ベゼルにより内側に押圧されることで内側に撓んでいた第１側壁部が、ベゼルを取り外すことにより、ベゼルによる第１側壁部への押圧が解除され、組み立て前の元の位置に戻ろうとする。これにより、第１側壁部の透光部材への押圧力が小さくなり、透光部材をわずかな力で取り外すことが可能となる。従って、小型化された分解可能なワンピース構造のケースを有する電子機器を実現できる。
【０００８】
［適用例２］上記適用例に記載の電子機器は、前記第１側壁部より前記底壁側で前記透光部材を断面方向で受ける第２側壁部を有し、前記ベゼルの前記底壁側の端面は、前記第２側壁部の前記透光部材を受ける受面より前記底壁側に位置していることが好ましい。
【０００９】
本適用例によれば、ベゼルの底壁側の端面は、第２側壁部の透光部材を受ける受面より底壁側に位置することにより、適用例１の作用効果に加えて、第１側壁部の断面方向の長さを長くすることができ、第１側壁部による平面方向への押圧力の設定の自由度を向上させることができる。これにより、ベゼルを取り外して電子機器を分解する場合、第１側壁部が外側に撓みやすくなり、または、組み立て前の元の位置に戻りやすくなり、透光部材を取り外すことが容易となる。また、第１側壁部および、第１側壁部より厚さの大きい第２側壁部がベゼルによってケース本体の内側に向かう方向に押圧されるため、ケース本体全体の剛性を高めることができる。
【００１０】
［適用例３］上記適用例に記載の電子機器は、前記第１側壁部の内面と前記透光部材の外周端面との間には弾性部材が設置されていることが好ましい。
【００１１】
本適用例によれば、電子機器が組み立てられている時の第１側壁部や透光部材からの押圧力を弾性部材が吸収する。これにより、ベゼルを取り外して電子機器を分解する場合、弾性部材が吸収していた押圧力が第１側壁部を外側に押圧する押圧力となる。第１側壁部が外側により撓みやすくなり、または、第１側壁部が組み立て前の元の位置により戻りやすくなり、透光部材を取り外すことがさらに容易となる。
【００１２】
［適用例４］上記適用例に記載の電子機器は、前記第２側壁部の前記透光部材を受ける受面と前記透光部材との間には介在部材が設置されていることが好ましい。
【００１３】
本適用例によれば、介在部材を設置することにより、第１側壁部の断面方向の長さが、介在部材を設置するための長さ分だけ長くなることにより、第１側壁部による平面方向への押圧力の設定の自由度を向上させることができる。これにより、分解する場合、ベゼルを取り外すことにより、第１側壁部が外側に撓みやすくなり、または、組み立て前の元の位置に戻りやすくなり、透光部材を取り外すことがさらに容易となる。
【００１４】
［適用例５］上記適用例に記載の電子機器は、前記側壁は、前記第２側壁部より底壁側に第３側壁部を有し、前記ベゼルの前記底壁側の端面より底壁側で、前記第３側壁部の外側に設置される外装カバーを備えていることが好ましい。
【００１５】
本適用例によれば、外装カバーを備えることにより、電子機器の装飾性を向上させることができる。
【００１６】
［適用例６］上記適用例に記載の電子機器は、前記側壁の外側は、前記第２側壁部と前記第３側壁部との間に溝が設けられていることが好ましい。
【００１７】
本適用例によれば、溝を備えることにより、第１側壁部による平面方向への押圧力の設定の自由度をさらに向上させることができる。これにより、分解する場合、透光部材を取り外すことがさらに容易となる。
【００１８】
［適用例７］上記適用例に記載の電子機器は、前記第２側壁部と前記第３側壁部とは異なる樹脂材料で構成されていることが好ましい。
【００１９】
本適用例によれば、第２側壁部と第３側壁部とが異なる樹脂材料で設けられると、ベゼルを取り外すことにより、第１側壁部が外側に撓みやすくなる、または、組み立て前の元の位置に戻りやすくなる。これにより、第１側壁部の透光部材への押圧力が小さくなり、透光部材を取り外すことがさらに容易となる。
【図面の簡単な説明】
【００２０】
【図１】実施形態１に係るリスト機器の概略構成を示す表側からの外観斜視図。
【図２】リスト機器の概略構成を示す裏側からの外観斜視図。
【図３】リスト機器の構成を示す断面図。
【図４】ケース本体、透光部材およびベゼルの部分拡大図。
【図５】実施形態２に係るリスト機器の構成を示す断面図。
【図６】ケース本体、透光部材およびベゼルの部分拡大図。
【図７】ケース本体、透光部材およびベゼルの部分拡大図。
【図８】ケース本体、透光部材およびベゼルの部分拡大図。
【図９】ケース本体、透光部材およびベゼルの部分拡大図。
【図１０】変形例１に係るケース本体、透光部材およびベゼルの部分拡大図。
【図１１】変形例２に係るリスト機器の構成を示す断面図。
【図１２】ケース本体、透光部材、ベゼルおよび介在部材の部分拡大図。
【図１３】ケース本体、透光部材、ベゼルおよび介在部材の部分拡大図。
【図１４】変形例３に係るリスト機器の構成を示す断面図。
【図１５】ケース本体、透光部材およびベゼルの部分拡大図。
【図１６】変形例４に係るリスト機器におけるケース本体、透光部材およびベゼルの部分拡大図。
【発明を実施するための形態】
【００２１】
以下、本発明の実施形態について、図面を参照して説明する。なお、以下に説明する実施形態は、特許請求の範囲に記載された本発明の内容を不当に限定するものではなく、各実施形態で説明される構成の全てが、本発明の必須構成要件であるとは限らない。また、以下の各図においては、各部材を認識可能な程度の大きさにするため、各部材を適宜拡大または縮小して表示している。
【００２２】
〔実施形態１〕
本発明に係る電子機器の本実施形態として、例えばユーザーの手首に装着される脈波センサーや体動センサーを備えたリスト機器（ウェアラブル機器）を例示し、図１、図２、図３および図４を参照して説明する。図１は、本実施形態に係るリスト機器２００の概略構成を示す表側（表示面側）からの外観斜視図である。図２は、リスト機器２００の概略構成を示す裏側からの外観斜視図である。図３は、リスト機器２００の構成を示す断面図である。図４は、ケース本体３１、透光部材５５およびベゼル５７の部分拡大図である。
【００２３】
以下のリスト機器２００の説明では、機器本体３０をユーザーに装着したとき、生体情報などの測定の対象部位となる対象物側に位置する側（対象物と接する面）を「裏側、もしくは裏面側」、その反対側となる機器本体３０の表示面側（ユーザーが情報を視認する面）を「表側、もしくは表面側」として説明する。また、リスト機器２００のケース本体（ケース）３１を基準として座標系を設定し、表示部５０（液晶ディスプレイ等の表示パネル６０やアナログ時計の文字板）の表示面に交差する方向であって、表示部５０の表示面側を表面とした場合の裏面から表面へと向かう方向をＺ軸正方向（＋Ｚ軸方向）としている。あるいは、光センサー部４０（発光ダイオードやフォトダイオードを含む）から表示部５０に向かう方向、あるいは、太陽電池８０を構成するパネルの受光面８０ａ，８０ｂ，８０ｃ，８０ｄの法線方向においてケース本体３１から離れる方向をＺ軸正方向と定義してもよい。また、Ｚ軸に直交する２軸をＸＹ軸とし、特にケース本体３１に対してバンド部１０が取り付けられる方向をＹ軸に設定している。なお、受光面８０ａ，８０ｂ，８０ｃ，８０ｄは、太陽電池８０に光が入射する面である。
【００２４】
図１は、バンド部１０が固定された状態であるリスト機器２００を、装着状態において表側（表示部５０側）となる方向である＋Ｚ軸方向から見た斜視図である。また、図２は、図１と反対側となる裏側である−Ｚ軸方向から見た斜視図である。また、図３は、−Ｙ軸方向から見たときの断面図である。図４は、−Ｙ軸方向から見たときの部分拡大図である。
【００２５】
電子機器としてのリスト機器２００は、図１、図２、および図３に示すように、ユーザーの所与の部位（例えば手首などの測定の対象部位）に装着され、脈波情報や位置情報等を検出する。リスト機器２００は、ケース本体３１を含みユーザーに密着されて脈波情報等を検出する機器本体３０と、機器本体３０に取り付けられ機器本体３０をユーザーに装着するための一対のバンド部１０と、を有する。
【００２６】
ケース本体３１を含む機器本体３０には、表示部５０、＋Ｚ軸方向（受光面８０ａ，８０ｂ，８０ｃ，８０ｄの法線方向）からの平面視で透光部材５５の外縁部に配置された受光面８０ａ，８０ｂ，８０ｃ，８０ｄを含む太陽電池８０、および生体情報測定部としての光センサー部４０（図３参照）に対応する測定窓部３３２が設けられている。なお、＋Ｚ軸方向（受光面８０ａ，８０ｂ，８０ｃ，８０ｄの法線方向）からの平面視で表示部５０と太陽電池８０の一部とが重なるように配置されてもよい。また、機器本体３０の外側面には複数の操作部（操作ボタン）５８が設けられ、透光部材５５の外縁を環状に囲むように配置されたベゼル５７が設けられている。但し、リスト機器２００は、このような構成に限定されず、これらの一部の構成要素を省略したり、他の構成要素を追加したりするなどの種々の変形実施が可能である。
【００２７】
機器本体３０は、表側に開口したケース本体３１を有する。ケース本体３１は、ケース本体３１の裏側を形成する底壁３３と、ケース本体３１の胴部を形成する側壁３５を有し、底壁３３と側壁３５とが一体に形成されている。底壁３３は、ケース本体３１の裏側の面である裏面から突出する凸状部３３１と、凸状部３３１の頂部に設けられる光センサー部４０の測定窓部３３２とを有する。そして、＋Ｚ軸方向からの平面視において測定窓部３３２に対応する位置に生体情報測定部としての光センサー部４０が配置され、透明カバー４４が測定窓部３３２に挿入されている。なお、透明カバー４４は、凸状部３３１の頂部から突出してもよい。
【００２８】
ここで、側壁３５は、第１側壁部３５１と、第２側壁部３５２と、第３側壁部３５３とを有する。また、側壁３５は、ケース本体３１の内側に＋Ｚ軸方向に垂直な面である受面３６を有する。第１側壁部３５１は、側壁３５の上部で、受面３６よりケース本体３１の開口側の部分を指す。第２側壁部３５２は、側壁３５のうち、受面３６を含む部分を指す。第３側壁部３５３は、側壁３５のうち、第１側壁部３５１以外であり、かつ、第２側壁部３５２以外である部分を指す。受面３６は、ケース本体３１に沿った形状であり、例えば、側壁３５が環状である場合、受面３６も環状である。または、受面３６は、環状の任意の位置を切り欠いた形状をしていてもよい。
【００２９】
第１側壁部３５１および第２側壁部３５２の外周側（ケース本体３１の外側）に、ベゼル５７が設けられる。言い換えると、第１側壁部３５１および第２側壁部３５２のベゼル５７と接触する面が第１側壁部３５１および第２側壁部３５２の外周（外面）である。また、受面３６上に透明板である透光部材（本実施形態ではガラス板）５５が設けられる。すなわち、第１側壁部３５１は、透光部材５５を平面方向で受け、第２側壁部３５２（受面３６）は、透光部材５５を断面方向で受ける。言い換えると、第１側壁部３５１は、透光部材５５の平面方向で接し、第２側壁部３５２は、透光部材５５の断面で接する。ここで、平面方向とはＸ−Ｙ平面に平行な方向（Ｚ軸に垂直な方向）を言う。また、断面方向とはＺ軸方向に平行な方向を言う。
【００３０】
透光部材５５は、太陽電池８０の受光面８０ａ，８０ｂ，８０ｃ，８０ｄに正対する方向、換言すれば＋Ｚ軸方向から見た平面視で、ケース本体３１の開口を塞ぐように配置されている。また、透光部材５５の外周端面（Ｘ−Ｙ平面と交差する面）と第１側壁部３５１の内面（内周）との間には、弾性部材５６が設置されている。言い換えると、透光部材５５は、弾性部材５６を介して第１側壁部３５１の内面に取り付けられている。なお、弾性部材５６は、例えばパッキンやガスケット等と同等な部材が用いられる。また、第１側壁部３５１の外周と第１側壁部３５１の内面（内周）と異なるＺ軸方向から見ると、直径の異なる同心円状となっている。そして、ケース本体３１とケース本体３１の開口を塞ぐ透光部材５５とに囲まれたケース本体３１の内側に、閉空間である内部空間３９が設けられる。
【００３１】
なお、透光部材５５は、ガラス板に限らず、表示部５０を閲覧可能な透光性部材であり、表示部５０を構成する液晶ディスプレイ（表示パネル６０）など、内部空間３９に収容される要素部品を保護可能な程度の強度を有する部材であれば、透明のプラスチックやサファイアガラスなど、ガラス以外の材料とすることができる。
【００３２】
ここで、第１側壁部３５１は、ベゼル５７によってケース本体３１の内側に向かって押圧される。言い換えると、第１側壁部３５１にはベゼル５７から、第１側壁部３５１の厚さ方向の力が加わる。また、第１側壁部３５１は、ベゼル５７によってケース本体３１の内側に向かって押圧されると、弾性部材５６を介して透光部材５５を押圧する。すなわち、ベゼル５７を機器本体３０に取り付けた状態において、透光部材５５は、ベゼル５７（第１側壁部３５１）から押圧されて、ケース本体３１の内側に維持される。なお、弾性部材５６は、第１側壁部３５１の透光部材５５に対する押圧力のバラツキを吸収して所定の押圧力とすることができる。これにより、第１側壁部３５１は、透光部材５５を安定した押圧力でケース本体３１に保持固定する。
【００３３】
そして、ケース本体３１内の内部空間３９に、図３に示すように、リスト機器２００を構成する要素部品である、例えば回路基板２０、方位センサー２２や加速度センサー２３、ＧＰＳアンテナ２８、光センサー部４０、表示部５０を構成する液晶ディスプレイ（以下、表示パネル６０）、表示パネル６０の照明部６１、二次電池７０（リチウム二次電池）、および太陽電池８０などが収納されている。ただし、機器本体３０は、図３に示す構成に限定されず、例えば標高などを算出するための気圧センサーや温度を測定するための気温センサーなどの他のセンサーやバイブレータなどを追加してもよい。また、回路基板２０には、上述した要素部品との接続配線、リスト機器２００を構成する各センサーや表示部５０などを制御する制御回路や駆動回路などを含む制御回路であるＣＰＵ（Central Processing Unit）２１、および他の回路素子２４が接続されている。図３は、一例として、表示パネル６０が透過型の表示素子（例えば、透過型液晶表示素子など）である場合を図示している。このため、図３は、照明部６１としてバックライトを採用した構成を図示している。図３において、照明部６１は、表示パネル６０の一部を覆い、表示パネル６０全体に照明光を拡散する構成を示しているが、照明部６１は、表示パネル６０全体を覆う構成であってもよい。照明部６１は、例えばＬＥＤ素子が挙げられる。なお、表示パネル６０は、反射型の表示素子（例えば反射型液晶表示素子、電気泳動表示素子など）であってもよく、この場合は、照明部６１としてフロントライトを採用できる。また、表示パネル６０は、自発光型の表示素子（例えば有機ＥＬ表示素子、ＬＥＤ表示素子など）であってもよく、この場合は、照明部６１を省略することができる。
【００３４】
内部空間３９に配置されたリスト機器２００を構成する要素部品のうち、回路基板２０、光センサー部４０、表示パネル６０、および太陽電池８０は、透光部材５５側から、太陽電池８０、表示パネル６０、回路基板２０、光センサー部４０の順に配置されている。
【００３５】
このように、ケース本体３１内において、太陽電池８０と光センサー部４０との間に表示部５０を構成する表示パネル６０が配置されることにより、発電のために太陽電池８０に向かって入射する光が、隙間などから侵入する洩れ光となって太陽電池８０側からケース本体３１内に侵入した、いわゆる迷光を表示パネル６０によって遮光することができ、光センサー部４０に対する外光（迷光）の影響を減少させることができる。
【００３６】
図４を参照して、本実施形態に係るケース本体３１について説明する。第１側壁部３５１の平面方向の厚さＤ１は、第２側壁部３５２の平面方向の厚さＤ２より小さい値をとる。このように、厚さＤ１を厚さＤ２より小さくすることにより、第１側壁部３５１による平面方向への押圧力（内側への押圧力）の設定が容易となる。これにより、ベゼル５７を取り外し、ベゼル５７による第１側壁部３５１への押圧が解除されると、リスト機器２００を分解する場合、ベゼル５７を取り外すことにより、ベゼル５７による第１側壁部３５１への押圧が解除され、第１側壁部３５１が、透光部材５５によって外側に押圧され、第１側壁部が外側に撓む。または、ベゼル５７により内側に押圧されることで内側に撓んでいた第１側壁部３５１が、ベゼル５７を取り外すことにより、ベゼル５７による第１側壁部３５１への押圧が解除され、組み立て前の元の位置に戻ろうとする。これにより、第１側壁部３５１の透光部材５５への押圧力が小さくなり、透光部材５５を例えば４０〜１００Ｎ（４〜１０ｋｇｆ）程度のわずかな力で取り外すことが可能となる。従って、小型化された分解可能なワンピース構造のケースを有する電子機器を実現できる。
また、リスト機器２００が組み立てられている時の第１側壁部３５１や透光部材５５からの押圧力を弾性部材５６が吸収する。ベゼル５７を取り外してリスト機器２００を分解する場合、弾性部材５６が吸収していた押圧力が第１側壁部３５１を外側に押圧する押圧力となる。これにより、第１側壁部３５１が外側により撓みやすくなり、または、第１側壁部３５１が組み立て前の元の位置により戻りやすくなり、透光部材５５を取り外すことがさらに容易となる。
【００３７】
また、ベゼル５７を機器本体３０に取り付けた際に、ケース本体３１の底壁３３側に位置するベゼル５７の端面５７１は、受面３６より底壁３３側に位置することが好ましい。これにより、第１側壁部３５１の断面方向の長さを長くすることができ、第１側壁部３５１による平面方向への押圧力の設定の自由度を向上させることができる。これにより、機器本体３０を分解する場合、ベゼル５７を取り外すことにより、第１側壁部３５１が外側に撓みやすくなり、または、組み立て前の元の位置に戻りやすくなり、透光部材５５を取り外すことが容易となる。また、ベゼル５７の端面５７１が受面３６より底壁３３側に位置する場合、第１側壁部３５１および、第１側壁部３５１より厚さの大きい第２側壁部３５２がベゼル５７によってケース本体３１の内側に向かう方向に押圧されるため、ケース本体３１全体の剛性を高めることができる。
【００３８】
ケース本体３１は、樹脂材料で形成されていてもよく、金属材料で形成されていてもよい。ケース本体３１が樹脂材料で形成されている場合は、機器本体３０の全体の軽量化を図ることができる。ケース本体３１が金属材料で形成されている場合は、機器本体３０の外観を、小型のケースではあるが、重厚感を有する外観とすることができる。
【００３９】
ベゼル５７は、樹脂材料で形成されていてもよく、金属材料で形成されていてもよい。ベゼル５７が樹脂材料で形成されている場合は、機器本体３０の全体の軽量化を図ることができる。ベゼル５７が金属材料で形成されている場合は、機器本体３０の外観を、小型のケースではあるが、重厚感を有する外観とすることができる。
【００４０】
ケース本体３１が金属材料で形成される場合、表側（＋Ｚ軸方向側）から機器本体３０を見るときに、ＧＰＳアンテナ２８が、太陽電池８０と重ならない位置に配置されることが好ましい。これにより、ＧＰＳアンテナ２８が、金属材料により形成されたケース本体３１および太陽電池８０の影響を受けにくく、精度よく電波を受信することができる。
【００４１】
上記のような構成を採用することにより、ねじなどの固定部材を用いず、分解可能なワンピース構造のケースを有する電子機器を実現できる。すなわち、小型化された電子機器を実現できる。
【００４２】
なお、ワンピース構造のケースを有する電子機器を説明したが、必要であれば、ケース本体３１は裏蓋を有する、いわゆるツーピース構造のケースとしても良い。
【００４３】
〔実施形態２〕
本実施形態に係る電子機器について、図５、図６、図７、図８および図９を参照して説明する。本実施形態も、実施形態１と同様にリスト機器（ウェアラブル機器）を一例に説明する。図５は、本実施形態に係るリスト機器２０１の構成を示す断面図である。図６は、ケース本体３１、透光部材５５およびベゼル５７の部分拡大図である。図７は、ケース本体３１、透光部材５５およびベゼル５７の部分拡大図である。図８は、ケース本体３１、透光部材５５およびベゼル５７の部分拡大図である。図９は、ケース本体３１、透光部材５５およびベゼル５７の部分拡大図である。なお、実施形態１と同一の構成部位については、同一の符号を使用し、重複する説明は省略する。
【００４４】
本実施形態に係るリスト機器２０１の側壁３５は、第１側壁部３５１と、第２側壁部３５２と、第３側壁部３５３とを有する。また、側壁３５は、ケース本体３１の内側に有する＋Ｚ軸方向に垂直な面である受面３６を有する。第１側壁部３５１は、側壁３５の上部で、受面３６よりケース本体３１の開口側の部分を指す。第２側壁部３５２は、側壁３５のうち、受面３６を含む部分を指す。第３側壁部３５３は、側壁３５のうち、第１側壁部３５１および第２側壁部３５２以外の部分を指す。
【００４５】
第１側壁部３５１および第２側壁部３５２の外周側に、ベゼル５７が設けられる。また、受面３６上に透明板である透光部材（本実施形態ではガラス板）５５が設けられる。第３側壁部３５３の外周側であり、ベゼル５７の端面５７１より底壁３３側である位置に、外装カバー３７が設けられる。本実施形態に係る電子機器としてのリスト機器２０１は、外装カバー３７を有することにより、装飾性を向上することができる。
【００４６】
第３側壁部３５３の外周は、図６のように、第２側壁部３５２の外周と同一面で構成されていてもよく、図７のように、第２側壁部３５２の外周よりケース本体３１の外側に大きく形成されていてもよく、図８のように、第２側壁部３５２の外周よりケース本体３１の外側に小さく形成されていてもよい。
【００４７】
第１側壁部３５１の厚さＤ１は、実施形態１と同様に、第２側壁部３５２の厚さＤ２より小さい値をとる。これにより、実施形態１と同様に、透光部材５５を取り外す際には、例えば４０〜１００Ｎ（４〜１０ｋｇｆ）のわずかな力で取り外すことが可能となる。
【００４８】
また、ベゼル５７を機器本体３０に取り付けた際に、ケース本体３１の底壁３３側に位置するベゼル５７の端面５７１は、実施形態１と同様に、受面３６より底壁３３側に位置することが好ましい。これにより、実施形態１と同様に、透光部材５５を取り外すことが容易となる。
【００４９】
ケース本体３１は、樹脂材料で形成されていてもよく、金属材料で形成されていてもよい。ケース本体３１が樹脂材料で形成されている場合は、機器本体３０の全体の軽量化を図ることができる。ケース本体３１が金属材料で形成されている場合は、機器本体３０の外観を、小型のケースではあるが、重厚感を有する外観とすることができる。
【００５０】
ベゼル５７は、樹脂材料で形成されていてもよく、金属材料で形成されていてもよい。ベゼル５７が樹脂材料で形成されている場合は、機器本体３０の全体の軽量化を図ることができる。ベゼル５７が金属材料で形成されている場合は、機器本体３０の外観を、小型のケースではあるが、重厚感を有する外観とすることができる。
【００５１】
外装カバー３７は、樹脂材料で形成されていてもよく、金属材料で形成されていてもよい。外装カバー３７が樹脂材料で形成されている場合、機器本体３０の軽量化を図ることや、装飾性を向上させることができる。外装カバー３７が金属材料で形成されている場合、樹脂材料で形成される場合に比べて、機器本体３０の装飾性をさらに向上させることができる。また、外装カバー３７が金属材料で形成されている場合、機器本体３０の剛性を確保することができる。
【００５２】
外装カバー３７およびベゼル５７が金属材料で形成される場合、表側（＋Ｚ軸方向側）から機器本体３０を見るときに、ＧＰＳアンテナ２８が、太陽電池８０と重ならない位置に配置されることが好ましい。これにより、ＧＰＳアンテナ２８が、金属材料により形成された外装カバー３７およびベゼル５７、並びに、太陽電池８０の影響を受けにくく、精度よく電波を受信することができる。
【００５３】
側壁３５の外周は、図９に示すように、第２側壁部３５２と第３側壁部３５３との境界に、溝３８を有していてもよい。この場合、ベゼル５７を機器本体３０から取り外したときに、第１側壁部３５１による平面方向への押圧力の自由度をさらに向上させることができる。すなわち、ベゼル５７を機器本体３０から取り外したときに、第１側壁部３５１が外側に撓みやすくなり、または、組み立て前の元の位置に戻りやすくなり、透光部材５５が第１側壁部３５１から受ける押圧を小さくすることができ、ケース本体３１の内側に維持されていた透光部材５５を、取り外すことがさらに容易となる。
【００５４】
外装カバー３７は、第３側壁部３５３の外周を全周覆うように設けられてもよいが、一部切り欠く形状で第３側壁部３５３の外周に設けられてもよい。外装カバー３７が、一部切り欠く形状で第３側壁部３５３の外周に設けられる場合、外装カバー３７の切り欠き位置に対応して、バンド部１０（図１、図２参照）を設けることができる。
【００５５】
＜変形例１＞
図１０は、本変形例に係るケース本体３１、透光部材５５およびベゼル５７の部分拡大図である。
【００５６】
上記実施形態１および２では、ケース本体３１全体が同一の材料で形成されている構成で説明したが、この構成に限定するものではない。以下、変形例１に関する電子機器として、リスト機器２０２を一例に、図１０を参照して説明する。なお、実施形態１および２と同一の構成部位については、同一の番号を附し、重複する説明は省略する。
【００５７】
本変形例に係る側壁３５における、第２側壁部３５２と、第３側壁部３５３とが、異なる樹脂材料で形成されており、第２側壁部３５２は、第３側壁部３５３と融着して形成される。この場合、第２側壁部３５２を形成する樹脂材料の弾性率Ｅ２が第３側壁部３５３を形成する樹脂材料の弾性率Ｅ３より小さいことが好ましい。すなわち、Ｅ２＜Ｅ３の関係が成り立っていることが好ましい。これにより、ベゼル５７を機器本体３０から取り外し、ベゼル５７による第１側壁部３５１への押圧が解除され、第１側壁部３５１が、弾性部材５６によってケース本体３１の外側に向かう方向に押圧され、第１側壁部３５１が外側に撓む、または、組み立て前の元の位置に戻ろうとする。すなわち、ベゼル５７を機器本体３０から取り外したときに、透光部材５５が第１側壁部３５１から受ける押圧を小さくすることができ、ケース本体３１の内側に維持されていた透光部材５５を、取り外すことがさらに容易となる。
【００５８】
＜変形例２＞
図１１は、本変形例に係るリスト機器２０３の構成を示す断面図である。図１２は、ケース本体３１、透光部材５５、ベゼル５７および介在部材５９の部分拡大図である。図１３は、ケース本体３１、透光部材５５、ベゼル５７および介在部材５９の部分拡大図である。
【００５９】
上記実施形態１および２並びに変形例１では、受面３６と透光部材５５との間に介在部材がなく、また、受面３６と弾性部材５６との間に介在部材がない構成で説明したが、この構成に限定するものではない。以下、変形例２に関する電子機器として、リスト機器２０３を一例に、図１１、図１２および図１３を参照して説明する。なお、実施形態１および２並びに変形例１と同一の構成部位については、同一の番号を附し、重複する説明は省略する。
【００６０】
リスト機器２０３の機器本体３０は、図１１に示すように、受面３６と透光部材５５との間に、および、受面３６と弾性部材５６との間に、介在部材５９を有する。機器本体３０が介在部材５９を有することにより、第１側壁部３５１の断面方向（Ｚ軸方向）の高さＨ１を大きく形成することができる。すなわち、第１側壁部３５１の断面方向の長さが、介在部材５９を設置する分だけ長くなり、第１側壁部３５１による平面方向（Ｚ軸に垂直な方向）への押圧力の設定の自由度を向上させることができる。これにより、ベゼル５７を機器本体３０から取り外したときに、第１側壁部３５１が外側に撓みやすくなり、または、組み立て前の元の位置に戻りやすくなり、透光部材５５が第１側壁部３５１から受ける押圧力を小さくすることができ、ケース本体３１の内側に維持されていた透光部材５５を、取り外すことがさらに容易となる。
【００６１】
介在部材５９は、金属材料で形成されていてもよいし、樹脂材料で形成されていてもよい。また、図１３に示すように、例えば表示パネル６０を介在部材５９とすることもできる。表示パネル６０を介在部材５９とする場合、表示パネル６０を大きくすることができる。さらに、介在部材５９は、平面方向（Ｚ軸に垂直な方向）における断面が受面３６と等しく環状であってもよく、任意の箇所が切り欠かれたような、受面３６の一部のみと重なる形状であってもよい。
【００６２】
＜変形例３＞
図１４は、本変形例に係るリスト機器２０４の構成を示す断面図である。図１５は、ケース本体３１、透光部材５５およびベゼル５７の部分拡大図である。
【００６３】
上記実施形態１および２並びに変形例１および２では、第１側壁部３５１の上端３５４と透光部材５５の上面５２とが同一平面上にある構成で説明したが、この構成に限定するものではない。以下、変形例３に関する電子機器として、リスト機器２０４を一例に、図１４および図１５を参照して説明する。なお、実施形態１および実施形態２と同一の構成部位については、同一の番号を附し、重複する説明は省略する。
【００６４】
第１側壁部３５１の上端３５４は、透光部材５５の上面５２より、底壁３３側に位置する。これにより、ベゼル５７を、第１側壁部３５１および第２側壁部３５２の外周に設け、さらに、第１側壁部３５１の上端３５４上にも設けることができる。すなわち、機器本体３０を表側（＋Ｚ軸方向側）から見た場合、ベゼル５７を幅広にすることができる。ベゼル５７を幅広にすることで、機器本体３０の装飾性がさらに向上し、例えば、ベゼル５７の色調を他の部分と異なる色調にしたり、例えば、ベゼル５７に印字することができたりする。
【００６５】
＜変形例４＞
図１６は、本変形例に係るリスト機器２０５におけるケース本体３１、透光部材５５およびベゼル５７の部分拡大図である。
【００６６】
上記変形例３では、第１側壁部３５１の上端３５４が、透光部材５５の上面５２より、底壁３３側に位置した構成となり、その上端３５４の上部にベゼル５７が位置して弾性部材５６に内側の先端部が当接している。しかし、本変形例では、図１６に示すように、ベゼル５７は、透光部材５５の上面５２より上部に位置する構成となっている。詳細には、ベゼル５７は、弾性部材５６を含め、透光部材５５の上面５２に重なる状態で、距離Ａだけ全周にわたって内側に延出している。従って、機器本体３０を表側（＋Ｚ軸方向側）から見た場合、距離Ａの領域が、弾性部材５６を含め、透光部材５５の上面５２に重なる状態となっている。
【００６７】
従来のように、側壁と底壁とが別体となるケース構成では、ケースにベゼルを固定した後に、透光部材を設置する組込みとなるため、透光部材の上面をベゼルで覆うことは不可能であった。これに対して、本変形例の構成では、側壁３５と底壁３３とが一体となるワンピース構造であり、ケース（ケース本体３１）に透光部材５５を設置した後に、ベゼル５７を組込むことが可能であるため、透光部材５５の上面５２にベゼル５７を配置でき、幅広のベゼル５７を実現することができる。従って、透光部材５５の外周端面を隠すことや、変形例３と同様に、幅広のベゼル５７の上面５７２にデザインを施せること等から、リスト機器２０５のデザインの自由度を向上させることができる。
【００６８】
＜変形例５＞
上記実施形態１および２並びに変形例１から４では、電子機器としてリスト機器２００〜２０５を例に説明したが、この構成に限定するものではない。例えば、ケース本体、透光部材、ベゼル、外装カバー、介在部材などを、時針や分針などを用いたアナログ表示による時計や壁掛け時計、携帯電話、スマートフォン、パソコン、タブレット端末などの電子機器に用いることも可能である。
【符号の説明】
【００６９】
３０…機器本体、３１…ケース本体、３３…底壁、３５…側壁、３６…受面、３７…外装カバー、３８…溝、５５…透光部材、５６…弾性部材、５７…ベゼル、５９…介在部材、２００〜２０５…電子機器としてのリスト機器、３５１…第１側壁部、３５２…第２側壁部、３５３…第３側壁部、５７１…端面。
【図１】
2019124477.tif 000003
【図２】
2019124477.tif 000004
【図３】
2019124477.tif 000005
【図４】
2019124477.tif 000006
【図５】
2019124477.tif 000007
【図６】
2019124477.tif 000008
【図７】
2019124477.tif 000009
【図８】
2019124477.tif 000010
【図９】
2019124477.tif 000011
【図１０】
2019124477.tif 000012
【図１１】
2019124477.tif 000013
【図１２】
2019124477.tif 000014
【図１３】
2019124477.tif 000015
【図１４】
2019124477.tif 000016
【図１５】
2019124477.tif 000017
【図１６】
2019124477.tif 000018